(57)【特許請求の範囲】
【請求項１】
ろ紙ホルダと、前記ろ紙ホルダに脱着可能に取付けられ、放射性ダストを捕集するろ紙を該ろ紙ホルダとの間で保持するキャップと、を有するろ紙ホルダユニットと、
前記ろ紙ホルダユニットの背後に接続されるユニットであって、前記ろ紙の背後において正面で開口する吸引口と、前記吸引口と連通し平面ないし側面で開口する排気口と、前記吸引口の背後に配置され該吸引口から空気を吸引して前記排気口より排気することにより放射性ダストを前記ろ紙に捕集するためのファンと、前記ファンを回転させるＤＣモータと、を収容するファンユニットと、
前記ファンユニットの背面に取付けられ、前記ＤＣモータに電力を供給するバッテリを収容するバッテリユニットと、
を含んで構成され、
前記ろ紙ホルダに前記キャップの回転操作方向に沿って延在するよう形成された長穴であって、穴の幅が広い幅広部を備えたガイド穴と、
前記ガイド穴を挿通可能な第１の部分と、該ガイド穴の幅広部を挿通可能な第２の部分を備え、該第１の部分が該ガイド穴に挿通した状態で前記キャップが回転操作されることにより該ガイド穴の該ガイド穴の延在方向に沿って移動可能であり、該第２の部分が該幅広部に挿通した状態で該ガイド穴の深さ方向に沿って移動可能である、該ガイド穴内を該ガイド穴の延在方向に沿って移動可能に該ガイド穴に深さ方向に挿通されるピンと、
前記ろ紙ホルダと前記ピンの間で作用するよう設けられ、前記ピンが前記幅広部を通過して該ガイド穴の所定箇所に位置した際、該ピンを解除可能に係止して、該ろ紙ホルダと前記キャップの間に該キャップを該ろ紙ホルダから取り外さずにろ紙を挿入するための隙間を形成するためのロック手段と、
を有し、
ろ紙をワンタッチで装填及び取り外し可能なことを特徴とする放射性ダストサンプラ。
【請求項２】
ろ紙ホルダと、前記ろ紙ホルダに脱着可能に取付けられ、放射性ダストを捕集するろ紙を該ろ紙ホルダとの間で保持するキャップと、を有するろ紙ホルダユニットと、
前記ろ紙ホルダユニットの背後に接続されるユニットであって、前記ろ紙の背後において正面で開口する吸引口と、前記吸引口と連通し平面ないし側面で開口する排気口と、前記吸引口の背後に配置され該吸引口から空気を吸引して前記排気口より排気することにより放射性ダストを前記ろ紙に捕集するためのファンと、前記ファンを回転させるＤＣモータと、を収容するファンユニットと、
前記ファンユニットの背面に取付けられ、前記ＤＣモータに電力を供給するバッテリを収容するバッテリユニットと、
を含んで構成され、
前記キャップは、円周方向に沿って形成されると共に周面で前記ろ紙を挿入又は取り外し可能に開口し、該ろ紙を該キャップ内で仮保持可能なスリットを有し、
ろ紙取付時、前記キャップを所定方向に回転操作することにより、前記スリットに仮保持されたろ紙が、該キャップと前記ろ紙ホルダとの間で挟持され、
ろ紙取外時、前記キャップを所定方向に回転操作することにより、該キャップと前記ろ紙ホルダとの間で挟持されていたろ紙が、前記スリットを介してワンタッチで装填及び取り外し可能なことを特徴とする放射性ダストサンプラ。
【発明の詳細な説明】
【０００１】
【発明の属する技術分野】
本発明は、放射性ダストサンプラに関し、特に、携帯可能な放射性ダストサンプラ、或いは、ろ紙をワンタッチで装填及び取り外し可能な放射性ダストサンプラに関する。
【０００２】
【従来の技術】
原子力施設において、現場作業中のマスク着用に関する空気中放射能濃度測定には、現在、携帯可能な放射性ダストサンプラが用いられている。このような放射性ダストサンプラとして、一般的に、原子力施設の測定箇所に既設されている交流電源によって駆動される交流モータと、この交流モータによって駆動されるファンと、ファンの上流流路に取付けられたろ紙とを有し、ファンを回転させることによって、測定箇所の空気をろ紙を通じて吸引した後、ろ紙を取り外し、ろ紙に捕集した放射性ダストを別途測定するものが採用されている。
【０００３】
【発明が解決しようとする課題】
しかしながら、測定場所によっては、交流電源が設置されていなかったり、交流電源と放射性ダストサンプラをつなぐ電源コードの取り回しが困難である場合がある。さらに、放射性ダストサンプラに電源コード等が付随していることによって、放射性ダストサンプラの持ち運びに手間がかかるという問題がある。また、放射性ダストサンプラは、全体が新たに設計されたものであるため、部品コストが高いという問題がある。
【０００４】
別に、放射性ダストサンプラの吸引流量を測定する場合、ろ紙を放射性ダストサンプラではなく、放射性ダストサンプラの上流側に取付けた測定管にろ紙を取付けて、この測定管内の流量を測定しているため、流量測定に手間がかかるという問題がある。
【０００５】
また、放射性ダストサンプラの使用時、ダスト捕集を複数回行うため、放射性ダストサンプラに装着したろ紙を交換する必要がある。放射性ダストサンプラの使用場所は放射性ふん囲気であるため、このろ紙交換作業もゴム手袋等の保護具を何重にも手に装着した状態で行われる。したがって、原子力施設における放射性ダストサンプラの使用においては、通常の場所での使用とは異なり、ろ紙の交換作業が困難であるという特殊な事情がある。
【０００６】
本発明の目的は、持ち運びが容易であって、種々の環境で使用することができ、かつ部品コストを低減することができる放射性ダストサンプラを提供することである。本発明の別の目的は、ろ紙を実機である放射性ダストサンプラに取付けた状態で放射性ダストサンプラの流量を測定可能な放射性ダストサンプラを提供することである。本発明のさらに別の目的は、放射性ダストを捕集するためのろ紙の交換作業が容易で、特に、ろ紙をワンタッチで装填及び取り外し可能な放射性ダストサンプラを提供することである。
【０００７】
【課題を解決するための手段】
本発明は、ろ紙ホルダと、前記ろ紙ホルダに脱着可能に取付けられ、放射性ダストを捕集するろ紙を該ろ紙ホルダとの間で保持するキャップと、を有するろ紙ホルダユニットと、前記ろ紙ホルダユニットの背後に接続されるユニットであって、前記ろ紙の背後において正面で開口する吸引口と、前記吸引口と連通し平面ないし側面で開口する排気口と、前記吸引口の背後に配置され該吸引口から空気を吸引して前記排気口より排気することにより放射性ダストを前記ろ紙に捕集するためのファンと、前記ファンを回転させるＤＣモータと、を収容するファンユニットと、前記ファンユニットの背面に取付けられ、前記ＤＣモータに電力を供給するバッテリを収容するバッテリユニットと、を含んで構成される放射性ダストサンプラに適用される。
【０００８】
この放射性ダストサンプラはユニット化されているため、各ユニットに他の製品に用いられている部品を転用することができる。例えば、ファンユニットに、放射性ふん囲気で作業員が使用する送気マスクのファンユニットを採用することができる。このような部品の共通化により、製造コストが低減されると共にファンユニットの信頼性試験等の検査の手間を省くことができる。さらに、この放射性ダストサンプラは、ファンの駆動源としてＤＣモータを採用し、このＤＣモータの電源としてバッテリを搭載している。これにより、交流電源が設置されていない場所でも、この放射性ダストサンプラを用いた測定が可能となり、加えて、電源コードが不要となるため、放射性ダストサンプラが軽量化され持ち運びが容易となる。
【０００９】
本発明は、一視点において、前記ろ紙ホルダに前記キャップの回転操作方向に沿って延在するよう形成された長穴であって、穴の幅が広い幅広部を備えたガイド穴と、前記ガイド穴を挿通可能な第１の部分と、該ガイド穴の幅広部を挿通可能な第２の部分を備え、該第１の部分が該ガイド穴に挿通した状態で前記キャップが回転操作されることにより該ガイド穴の延在方向に沿って移動可能であり、該第２の部分が該幅広部に挿通した状態で該ガイド穴の深さ方向に沿って移動可能である、該ガイド穴内を該ガイド穴の延在方向に沿って移動可能に該ガイド穴に深さ方向に挿通されるピンと、前記ろ紙ホルダと前記ピンの間で作用するよう設けられ、前記ピンが前記幅広部を通過して該ガイド穴の所定箇所に位置した際、該ピンを解除可能に係止して、該ろ紙ホルダと前記キャップの間に該キャップを該ろ紙ホルダから取り外さずにろ紙を挿入するための隙間を形成するためのロック手段と、を有する、ろ紙をワンタッチで装填及び取り外し可能な放射性ダストサンプラを提供する。
【００１０】
この放射性ダストサンプラによれば、作業者が何重にも手袋をしてろ紙交換作業をしなければならないような放射性ふん囲気において、ろ紙の交換を容易に行うことができる。この放射性ダストサンプラは、ろ紙の装着及び取り外し時、キャップとろ紙ホルダの間に十分な隙間を確保することができるため、ろ紙引張強度の高い、例えば、繊維が裏打ちされているため反った状態のろ紙を、キャップとろ紙ホルダの間に容易に挿入し及び取出すことができる。
【００１１】
本発明は、他の視点において、前記キャップは、円周方向に沿って形成されると共に周面で前記ろ紙を挿入又は取り外し可能に開口し、該ろ紙を該キャップ内で仮保持可能なスリットを有し、ろ紙取付時、前記キャップを所定方向に回転操作することにより、前記スリットに仮保持されたろ紙が、該キャップと前記ろ紙ホルダとの間で挟持され、ろ紙取外時、前記キャップを所定方向に回転操作することにより、該キャップと前記ろ紙ホルダとの間で挟持されていたろ紙が、前記スリットを介してワンタッチで装填及び取り外し可能な放射性ダストサンプラを提供する。
【００１２】
このような放射性ダストサンプラによれば、作業者が何重にも手袋をしてろ紙交換作業をしなければならないような放射性ふん囲気において、ろ紙の交換を容易に行うことができる。
【００１３】
【発明の実施の形態】
本発明の好ましい実施の形態に係る放射性ダストサンプラにおいては、前記吸引口と前記排気口とを連通させる流路において、前記ファンと、前記流路壁との間に、該ファンと該流路壁の間の隙間を減少させるリングが装着される。
【００１４】
本発明の好ましい実施の形態に係る放射性ダストサンプラにおいては、前記バッテリユニットが、前記バッテリを複数組合わせたバッテリカセットを複数個、収容することを特徴とする請求項１記載の放射性ダストサンプラ。
【００１５】
本発明の好ましい実施の形態に係る放射性ダストサンプラにおいては、吸引流量を検知して出力する流量センサが付設され、前記流量センサが出力する吸引流量信号に基づいて、前記モータを制御することにより、吸引流量が一定に制御される。
【００１６】
本発明の好ましい実施の形態に係る放射性ダストサンプラにおいては、前記ろ紙ホルダユニットの所定部分が、ろ紙の取付状態が外部から観察可能となるよう透明である。
【００１７】
本発明の好ましい実施の形態に係る放射性ダストサンプラは、前記ろ紙ホルダの周縁部に形成され、取付けられたろ紙の外縁部に隠れる連通孔と、前記連通孔に接続され取付けられたろ紙を吸引するポンプと、を有する。
【００１８】
本発明の好ましい実施の形態に係る放射性ダストサンプラは、取付け前のろ紙を収容するケーシングと、前記ケーシングに収容されたろ紙を付勢する押し出しバネと、を含んで構成され、ろ紙取付時、前記ろ紙ホルダユニットに押し付け、前記ポンプによって該ろ紙が吸引されることによって、該ろ紙が該ろ紙ホルダユニット側に保持される。
【００１９】
本発明の好ましい実施の形態に係る放射性ダストサンプラは、ダスト捕集現場と、外部との間で通信を行うための通信ユニットが付設される。
【００２０】
本発明の好ましい実施の形態に係る放射性ダストサンプラは、ろ紙を収容するろ紙収容ケースが付設される。
【００２１】
【実施例】
以上説明した本発明の好ましい実施の形態をさらに明確化するために、以下図面を参照して、本発明の一実施例を説明する。
【００２２】
［実施例１（実施例４又は５の基本構成を示す参考例）］
図１は、本発明の実施例１に係る放射性ダストサンプラの斜視図であり、図２（Ａ）は図１に示した放射性ダストサンプラの概略正面図、図２（Ｂ）は図２（Ａ）の側面図である。図３は、図１に示した放射性ダストサンプラのファンユニットの内部構造を説明するための模式図である。
【００２３】
図１、図２（Ａ）及び図２（Ｂ）を参照すると、本発明の実施例１に係る放射性ダストサンプラは、吸引口１の前面に形成されたろ紙ホルダ８と、ろ紙ホルダ８に脱着可能に取付けられ、放射性ダストを捕集するろ紙９を該ろ紙ホルダ８との間で保持するキャップ１０と、を有するろ紙ホルダユニット１１と、ろ紙ホルダユニット１１の背後に接続されるユニットであって、ろ紙９の背後において正面で開口する吸引口１と、吸引口１と連通し平面（側面でもよい）で開口する排気口２と、吸引口１の背後に配置され吸引口１から空気を吸引して排気口２より排気することにより放射性ダストをろ紙９に捕集するためのファン３（図３参照）と、ファン３を回転させるＤＣモータ４（図３参照）と、を収容するファンユニット５と、ファンユニット５の背面に取付けられ、ＤＣモータ４に電力を供給するバッテリ６を収容するバッテリユニット７と、を含んで構成されている。キャップ１０は、ろ紙ホルダ８に螺合されており、キャップ１０を所定方向に回転操作することにより、キャップ１０をろ紙ホルダ８から外して、キャップ１０とろ紙ホルダ８の間に挟持されているろ紙９を取り外し、再装填することができる。
【００２４】
この放射性ダストサンプラの機能を説明する。作業員は、原子力施設等の測定場所に、この放射性ダストサンプラを搬入して、ファン３を回転させて、ろ紙を通じて、測定ふん囲気の空気を所定時間、高流量で吸引し、ろ紙９に放射性ダストを捕集させる。一回の測定終了後、作業員は、測定現場で、何重にも保護手袋をした状態で、キャップ１０を回転して、キャップ１０をろ紙ホルダ８から取り外した後、ろ紙ホルダ８上に、別のろ紙９を装填し、キャップ１０をろ紙ホルダ８に螺合した後、再度、測定を行う。放射性ダストを捕集したろ紙９は、別の場所で、放射能が測定される。
【００２５】
本発明の実施例１に係る放射性ダストサンプラは、ファンユニット５、バッテリユニット７、ろ紙ホルダユニット１１という各ユニットから構成されている。したがって、各ユニット５，７，１１に他の製品に用いられている部品を転用することができる。例えば、ファンユニット５に、放射性ふん囲気で作業員が使用する送気マスクのファンユニットを採用することができる。このような部品の共通化により、製造コストが低減されると共にファンユニットの信頼性試験等の検査の手間を省くことができる。
【００２６】
また、本発明の実施例１に係る放射性ダストサンプラは、ファン３の駆動源としてＤＣモータ４を採用し、このＤＣモータの電源としてバッテリ６を搭載している。これにより、交流電源が設置されていない場所でも、この放射性ダストサンプラを用いた測定が可能となり、加えて、電源コードが不要となるため、放射性ダストサンプラが軽量化され持ち運びが容易となる。
【００２７】
［実施例２（実施例４又は５の好ましい形態）］
本発明の実施例２は、前記実施例１の変形例であって、前記実施例１に係る構成を有する放射性ダストサンプラに、図３に示すリング１２が付加されたものである。
【００２８】
図３を参照すると、吸引口１と排気口２とを連通させる流路１３において、ファン３と、流路壁１４との間に、ファン３と流路壁１４の間の隙間を減少させるリング１２が装着されている。このリング１２によって、排気された空気が吸込側へ逆流することが防止され、流路１３内の静圧を約１０％向上させることができる。
【００２９】
［実施例３（実施例４又は５の好ましい形態）］
本発明の実施例３に係る放射性ダストサンプラは、前記実施例１の放射性ダストサンプラと共通の基本的構成を有するから、本実施例に係る放射性ダストサンプラの基本的構成については、前記実施例１の記載を参照することとし、以下、本実施例に係る放射性ダストサンプラと前記実施例１に係る放射性ダストサンプラの相違点について説明する。
【００３０】
図４は、本発明の実施例３に係る放射性ダストサンプラを説明するための動作図である。
【００３１】
再度、図２（Ｂ）を参照して、排気口２には、フローメータを装着可能なフランジ部２ｂが形成されている。図４を参照して、このフランジ部２ｂにフローメータ２ｃを装着することにより、ろ紙９を本体に装着した実際の測定状況に近い状態で、フローメータ２ｃ内のボール２ｄの位置より、簡便に放射性ダストサンプラの流量を測定することができる。
【００３２】
［実施例４］
本発明の実施例４に係る放射性ダストサンプラは、ろ紙をワンタッチで装填及び取り外し可能なものである。なお、本発明の実施例４に係る放射性ダストサンプラは、前記実施例１の放射性ダストサンプラと共通の基本的構成を有するから、本実施例に係る放射性ダストサンプラの基本的構成については、前記実施例１の記載を参照することとし、以下、本実施例に係る放射性ダストサンプラと前記実施例１に係る放射性ダストサンプラの相違点について説明する。
【００３３】
図５（Ａ）は、本発明の実施例４に係る放射性ダストサンプラの斜視図である。図５（Ｂ）は図５（Ａ）の動作図である。図５（Ｃ）はピンが（Ｂ）中Ｃ地点にあるときの動作図、図５（Ｄ）はピンが（Ｂ）中Ｄ地点にあるときの動作図、図５（Ｅ）はピンが（Ｂ）中Ｅ地点にあるときの動作図である。
【００３４】
図５（Ａ）及び図５（Ｂ）を参照すると、本発明の実施例４に係る放射性ダストサンプラは、ろ紙ホルダ８にキャップ１０の回転操作方向に沿って延在するよう形成された長穴であって、穴の幅が広い幅広部１９ａと、幅広部１９ａに隣接して形成された穴の幅が幅広部１９ａに比べて狭いロック部１９ｂとを備えたガイド穴（長穴）１９と、ガイド穴１９を挿通可能な第１の部分（第２の径小部２０ｅ）と、ガイド穴１９の幅広部１９ａのみを挿通可能な第２の部分（第２の径大部２０ｃ）を備え、第２の径小部２０ｅがガイド穴１９に挿通した状態でガイド穴１９の延在方向に沿って移動可能であり、第２の径大部２０ｃが幅広部１９に挿通した状態で該ガイド穴の深さ方向（縦方向）に沿って移動可能である、ガイド穴１９内をガイド穴１９の延在方向に沿って移動可能にガイド穴１９に深さ方向に挿通されるピン２０と、ろ紙ホルダ８とピン２０の間で作用するよう設けられ、ピン２０が幅広部１９ａを通過してガイド穴１９の所定箇所に位置した際、ピン２０を解除可能に係止して、ろ紙ホルダ８とキャップ１０の間にキャップ１０をろ紙ホルダ８から取り外さずにろ紙９を挿入するための隙間を形成するためのロック手段（ロック部１９ｂ、第１の径大部２０ａ及び第２の径大部２０ｃから構成される）と、を有している。キャップ１０とろ紙ホルダ８の間には、ピン２０に巻き回された上昇バネ２２が介装されている。上昇バネ２２は操作感ないし操作性を向上させる。ろ紙ホルダ８の外周側とキャップ１０の内周側には、それぞれ、キャップ１０を所定方向に回転操作した際、互いに螺合して、キャップ１０をろ紙ホルダ８に密着状態で係止するための、角ネジ２３と角ネジ溝２４がそれぞれ形成されている。
【００３５】
図５（Ｂ）〜図５（Ｅ）を参照して（これらの図において上昇バネ２２の図示は省略している）、ガイド穴１９とピン２０の構造について更に説明する。ガイド穴１９の端部にはロック部１９ｂが位置しており、ロック部に隣接して幅広部１９ａが形成されている。一方、ピン２０には、ピン２０の軸方向に沿って図５（Ｂ）中下方から順に、第１の径大部２０ａ、第１の径小部２０ｂ、第２の径大部２０ｃ、第２の径大部２０ｃの外周部に形成され第２の径大部２０ｃよりも径大な第３の径小部（爪部）２０ｄ、第２の径小部２０ｅ及び、第４の径大部２０ｆが形成されている。
【００３６】
本実施例に係る放射性ダストサンプラに対するろ紙の取付け方法について説明する。まず、キャップ１０がろ紙ホルダ８に密着して取り付けられ、両者の間にろ紙９が取り付けられている状態を説明する。この状態においては、図５（Ａ）を参照して、角ネジ２３と角ネジ溝２４が完全に螺合して、キャップ１０がろ紙ホルダ８に係止されると共に、ろ紙９がキャップ１０とろ紙ホルダ８に間で挟持される。図５（Ｃ）を参照して、作業者は、キャップ１０を所定方向に回転操作して、キャップ１０とろ紙ホルダ８に対する螺合を緩める。このとき、ピン２０の第２の径小部２０ｅが、ガイド穴１９を挿通した状態で、ガイド穴１９内を幅広部１９ａないしロック部１９ｂに向かって移動する。図５（Ｄ）を参照して、さらに、作業者が、キャップ１０を同方向に操作して、ピン２０が幅広部１９ａに到達し、第１径大部２０ａを回転させると、第２の径大部２０ｃと第３の径大部（爪部）２０ｄが幅広部１９ａを深さ方向に挿通し、ピン２０が上昇バネ２２によって上昇させられ、ガイド穴１９を挿通する。図５（Ｅ）を参照して、さらに、作業者が、キャップ１０を同方向に操作すると、第１の径小部２０ｂが幅広部１９ａを通過してロック部１９ｂに挿通する。この状態で、第１の径大部２０ａと第２の径大部２０ｃの間に、ろ紙ホルダ８のガイド穴１９周縁部が挟持ないし、第２の径大部２０ｃが該周縁部に当接することにより、ピン２０がろ紙ホルダ８に係止されて、キャップ１０とろ紙ホルダ８の隙間が保持される。このとき、作業者は、図５（Ａ）を参照して、ろ紙９をろ紙ホルダ８上から取り出し、新たなろ紙９をろ紙ホルダ８上に載置する。続いて、作業者は、以上説明した操作と反対の操作を行うことにより、ろ紙９がキャップ１０とろ紙ホルダ８の間で挟持される。
【００３７】
なお、本実施例のピン２０及びガイド穴１９の構造によれば、図５（Ａ）に示した上昇バネ２２を設けなくとも、キャップ１０とろ紙ホルダ８の隙間を維持することができる。図５（Ｆ）はピンの変形例を示す図である。図５（Ｆ）を参照すると、このピン２０は、同図中下方から順に、第１の径大部２０ａ、第１の径小部２０ｂ、第２の径大部２０ｃ、第２の径小部２０ｅ及び第４の径大部２０ｆを有している。図５（Ｂ）及び図５（Ｆ）を参照して、キャップ１０がろ紙ホルダ８に密着するときには、第２の径小部（第１の部分）２０ｅが図５（Ｂ）に示すガイド穴１９を挿通し、図５（Ａ）に示すろ紙９を装着及び取り外すときには、第１の径小部２０ｂがガイド穴１９のロック部１９ｂを挿通し、第２の径大部（ロック手段の要素）２０ｃがガイド穴の周縁部に当接することによりピン２０がろ紙ホルダ８に係止される。また、第２の径大部（第２の部分）２０ｃは、幅広部１９ａのみを挿通することができる。
【００３８】
本実施例に係る放射性ダストサンプラによれば、作業者が何重にも手袋をしてろ紙交換作業をしなければならないような放射性ふん囲気において、ろ紙の交換を容易に行うことができる。加えて、本実施例の放射性ダストサンプラによれば、キャップ１０をろ紙ホルダ８から取り外さない状態で両者の離間状態が安定して維持されるため、ろ紙引張強度を高めるために繊維が裏打ちされ反っている状態のろ紙９（例えば、「ＨＥ−４０Ｔ」（商品名）、700〜800ｌ／minの高流量達成可能））でも、容易にキャップ１０とろ紙ホルダ８の間の隙間からパッキン１８上に挿入することができる。
【００３９】
また、ろ紙９は、ろ紙ホルダ８上に形成されているパッキン１８上で、挟持される。このパッキン１８によって、ろ紙９の挟持力が向上されると共に、キャップ１０とろ紙ホルダ８の隙間から吸気が漏れることが防止される。
【００４０】
［実施例５］
本発明の実施例５に係る放射性ダストサンプラは、前記実施例４に係る放射性ダストサンプラと同様にろ紙をワンタッチで装填及び取り外し可能なものである。なお、本発明の実施例５に係る放射性ダストサンプラは、前記実施例１の放射性ダストサンプラと共通の基本的構成を有するから、本実施例に係る放射性ダストサンプラの基本的構成については、前記実施例１の記載を参照することとし、以下、本実施例に係る放射性ダストサンプラと前記実施例１に係る放射性ダストサンプラの相違点について説明する。
【００４１】
図６は、本発明の実施例５に係る放射性ダストサンプラの側面図である。図７は図６に示した放射性ダストサンプラが有するキャップの側面図、図８は図７に示したキャップとろ紙ホルダの斜視図、図９は図８に示したキャップとろ紙ホルダにろ紙を装着する様子を示す斜視図である。
【００４２】
図６〜図９を参照すると、キャップ１０に円周方向に沿って、ろ紙９を該キャップ１０内で仮保持可能なスリット１５が周面で前記ろ紙を挿入又は取り外し可能に開口するよう形成されている。キャップ１０は、キャップ１０に形成されたねじ１６と、ろ紙ホルダ８に形成されたねじ溝１７を介して、ろ紙ホルダ８に螺合される。作業者は、ろ紙９の取付時、キャップ１０がろ紙ホルダ８に螺合している状態のままで、キャップ１０を所定方向に回転操作することにより、スリット１５に仮保持されたろ紙９が、キャップ１０とろ紙ホルダとの間で挟持される。同様に、作業者は、ろ紙９の取外時にも、キャップ１０を所定方向に回転操作することにより、キャップ１０がろ紙ホルダ８に螺合している状態のままで、キャップ１０とろ紙ホルダ８との間で挟持されていたろ紙９が、スリット１５を介して取り外すことができる。
【００４３】
本実施例に係る放射性ダストサンプラによれば、作業者が何重にも手袋をしてろ紙交換作業をしなければならないような放射性ふん囲気において、ろ紙の交換を容易に行うことができる。
【００４４】
【発明の効果】
本発明によれば、持ち運びが容易であって、種々の環境で使用することができ、かつ部品コストを低減することができる放射性ダストサンプラが提供される。。また、本発明によれば、ろ紙を実機である放射性ダストサンプラに取り付けた状態で放射性ダストサンプラの流量を測定可能な放射性ダストサンプラが提供される。さらに、本発明によれば、放射性ダストを捕集するためのろ紙の交換作業が容易な放射性ダストサンプラが提供される。
【図面の簡単な説明】
【図１】  本発明の実施例１（実施例４又は５の基本構成を示す参考例）に係る放射性ダストサンプラの斜視図である。
【図２】  （Ａ）は図１に示した放射性ダストサンプラの概略正面図、（Ｂ）は（Ａ）の側面図である。
【図３】  図１に示した放射性ダストサンプラのファンユニットの内部構造を説明するための模式図である。
【図４】  本発明の実施例３（実施例４又は５の好ましい形態）の放射性ダストサンプラの構造を説明するための動作図である。
【図５】  （Ａ）は、本発明の実施例４に係る放射性ダストサンプラの斜視図であり、（Ｂ）は（Ａ）の動作図であり、（Ｃ）はピンが（Ｂ）中Ｃ地点にあるときの動作図、（Ｄ）はピンが（Ｂ）中Ｄ地点にあるときの動作図、（Ｅ）はピン２０が（Ｂ）中Ｅ地点にあるときの動作図であり、（Ｆ）はピンの変形例を示す図である。
【図６】  本発明の実施例５に係る放射性ダストサンプラの側面図である。
【図７】  図６に示した放射性ダストサンプラが有するキャップの側面図である。
【図８】  図６に示したキャップとろ紙ホルダの斜視図である。
【図９】  図８に示したキャップとろ紙ホルダにろ紙を装着する様子を示す斜視図である。
【符号の説明】
１  吸引口
２  排気口
２ｂ  フランジ部
２ｃ  フローメータ
２ｄ  ボール
３  ファン
４  ＤＣモータ
５  ファンユニット
６  バッテリ
７  バッテリユニット
８  ろ紙ホルダ
９  ろ紙
１０  キャップ
１１  ろ紙ホルダユニット
１２  リング
１３  流路
１４  流路壁
１５  スリット
１６  ねじ
１７  ねじ溝
１８  パッキン
１９  ガイド穴
１９ａ  幅広部
１９ｂ  ロック部（ロック手段の要素）
２０  ピン
２０ａ  第１の径大部
２０ｂ  第１の径小部
２０ｃ  第２の径大部（第２の部分、ロック手段の要素）
２０ｄ  第３の径小部（爪部）
２０ｅ  第２の径小部（第１の部分）
２０ｆ  第４の径大部
２２  上昇バネ
２３  角ネジ
２４  角ネジ溝
【図１】
0004004834.tif 000002
【図２】
0004004834.tif 000003
【図３】
0004004834.tif 000004
【図４】
0004004834.tif 000005
【図５】
0004004834.tif 000006
【図６】
0004004834.tif 000007
【図７】
0004004834.tif 000008
【図８】
0004004834.tif 000009
【図９】
0004004834.tif 000010